(57)【要約】【課題】予め動画像が記録された記録媒体を再生し、その中の特定な被写体を指定して、複数シーンをプリンタに直接印刷したい場合、その都度、手動で印刷範囲を設定し直して印刷しなくてはいけない不具合があった。【解決手段】記録媒体を再生して得られる被写体を指定し、印刷範囲枠の大きさを操作者が決定すると、前記指定した被写体の画角に応じて、前記印刷範囲枠の大きさを自動的に変化させるようにする。また、被写体の動きに応じて自動追尾し、その画像を任意のタイミングでプリンタから直接、自動的に印刷するようにすることにより、操作者の手間を大幅に削減できるようにするとともに良好な印刷結果を得られるようにする。【選択図】  図２
2006013919.tif 000002
【特許請求の範囲】
【請求項１】
記録媒体に記録された動画像を再生する動画像再生手段と、
前記動画像再生手段によって再生された再生画像中の任意の被写体を印刷範囲として指定する被写体指定手段と、
前記被写体指定手段によって指定された被写体をクローズアップする被写体拡大手段と、
前記被写体指定手段によって指定された被写体を自動的に追尾する被写体追尾手段とを有し、
前記被写体追尾手段によって追尾されている被写体の画像データを任意のタイミングで印刷装置に出力することを特徴とする画像処理装置。
【請求項２】
前記被写体を前記印刷装置に順次出力して順次印刷する任意のタイミングを、操作者が直接的に指示するための印刷タイミング指示手段を有することを特徴とする請求項１に記載の画像処理装置。
【請求項３】
前記被写体を前記印刷装置に順次出力して順次印刷する任意のタイミングを、予め設定された時間間隔となるように操作者により設定するための印刷タイミング設定手段を有することを特徴とする請求項１に記載の画像処理装置。
【請求項４】
前記印刷装置により前記被写体を順次印刷する被写体を順次印刷する際に、１枚の用紙に、複数の画像をインデックス状に印刷するように設定するマルチ印刷設定手段を有することを特徴とする請求項１〜３の何れか１項に記載の画像処理装置。
【請求項５】
前記動画像を再生中に、前記被写体指定手段により指定した任意の被写体の画角に応じて、印刷範囲を自動的に変化させる印刷範囲変更手段を有することを特徴とする請求項１〜４の何れか１項に記載の画像処理装置。
【請求項６】
前記印刷範囲変更手段により行われる印刷範囲の変化率を計測する変化率計測手段を有し、
前記変化率計測手段により計測される印刷範囲の変化率が、前回印刷した時の画角に対して、予め設定された任意の拡大・縮小率を越えた場合に、前記被写体を自動的に印刷することを特徴とする請求項５に記載の画像処理装置。
【請求項７】
前記動画像再生中、前記被写体指定手段により指定した指定した任意の被写体の移動距離を計測する移動距離計測手段を有し、
前記移動距離計測手段により計測される移動距離が、予め設定された任意の距離を超えた場合に、前記被写体を自動的に印刷することを特徴とする請求項１〜６の何れか１項に記載の画像処理装置。
【請求項８】
前記被写体を印刷するための印刷装置を有することを特徴とする請求項１〜７の何れか１項に記載の画像処理装置。
【請求項９】
前記請求項１〜７の何れか１項に記載の画像処理装置と、前記画像処理装置から出力される画像データを印刷するための印刷装置とを有することを特徴とするダイジェスト印刷システム。
【請求項１０】
記録媒体に記録された動画像を再生する動画像再生工程と、
前記動画像再生工程において再生された再生画像中の任意の被写体を印刷範囲として指定する被写体指定工程と、
前記被写体指定工程において指定された被写体をクローズアップする被写体拡大工程と、
前記被写体指定工程において指定された被写体を自動的に追尾する被写体追尾工程とを有し、
前記被写体追尾工程において追尾されている被写体の画像データを任意のタイミングで印刷装置に出力することを特徴とする画像処理方法。
【請求項１１】
記録媒体に記録された動画像を再生する動画像再生工程と、
前記動画像再生工程において再生された再生画像中の任意の被写体を印刷範囲として指定する被写体指定工程と、
前記被写体指定工程において指定された被写体をクローズアップする被写体拡大工程と、
前記被写体指定工程において指定された被写体を自動的に追尾する被写体追尾工程とを有し、
前記被写体追尾工程において追尾されている被写体の画像データを任意のタイミングで印刷装置に出力する画像処理方法をコンピュータに実行させることを特徴とするコンピュータプログラム。
【請求項１２】
前記請求項１１に記載のコンピュータプログラムを記録したことを特徴とするコンピュータ読み取り可能な記録媒体。
【発明の詳細な説明】
【技術分野】
【０００１】
本発明は画像処理装置、画像処理方法に関し、特に、記録媒体上に記録された動画像ファイルを再生し、直接プリンタから印刷可能な記録媒体再生装置に用いて好適な技術に関する。
【背景技術】
【０００２】
従来、自動追尾しようとする被写体を特定し、その特定された被写体の動きベクトルを検出し、被写体を含む一定領域を切り出すとともに、前記切り出し枠を動きベクトルに応じて移動させる追尾手段と、前記切り出し枠内の部分画像の映像信号を信号記録部へ供給する手段とを備えたことを特徴とする被写体追尾画像処理装置等の先行技術としては、例えば、特許文献１に提案されている。
【０００３】
【特許文献１】特開平６−１４３２３号公報
【発明の開示】
【発明が解決しようとする課題】
【０００４】
予め動画像が記録された記録媒体を再生し、その再生画像中の特定な被写体を指定して、複数シーンの画像データをプリンタに送り、前記プリンタで直接印刷したい場合がある。前記従来例では、被写体を指定し、ある範囲で切り出しを行い、被写体の動きに応じて自動追尾し、切り出した部分を拡大してモニターに出力したり、また、カメラからの入力画像であれば、記録媒体に記録したりはしている。
【０００５】
しかしながら、前記特許文献１に記載の被写体追尾画像処理装置は、切り出した画像をプリンタから印刷するための工夫がなされていないので、再生画像中の特定な被写体を指定して、複数シーンをプリンタに直接印刷したいような場合、良好な印刷結果を得ることができるようにするためには、非常に多くの手間を操作者が負担しなければならない問題があった。
本発明は前述の問題点にかんがみ、再生画像中の特定な画像をプリンタから印刷する際に、操作者が多くの手間をかけることなく良好な印刷結果を得ることができるようにすることを目的とする。
【課題を解決するための手段】
【０００６】
本発明の画像処理装置は、記録媒体に記録された動画像を再生する動画像再生手段と、前記動画像再生手段によって再生された再生画像中の任意の被写体を印刷範囲として指定する被写体指定手段と、前記被写体指定手段によって指定された被写体をクローズアップする被写体拡大手段と、前記被写体指定手段によって指定された被写体を自動的に追尾する被写体追尾手段とを有し、前記被写体追尾手段によって追尾されている被写体の画像データを任意のタイミングで印刷装置に出力することを特徴としている。
【０００７】
本発明のダイジェスト印刷システムは、前記の何れかに記載の画像処理装置と、前記画像処理装置から出力される画像データを印刷するための印刷装置とを有することを特徴としている。
【０００８】
本発明の画像処理方法は、記録媒体に記録された動画像を再生する動画像再生工程と、前記動画像再生工程において再生された再生画像中の任意の被写体を印刷範囲として指定する被写体指定工程と、前記被写体指定工程において指定された被写体をクローズアップする被写体拡大工程と、前記被写体指定工程において指定された被写体を自動的に追尾する被写体追尾工程とを有し、前記被写体追尾工程において追尾されている被写体の画像データを任意のタイミングで印刷装置に出力することを特徴としている。
【０００９】
本発明のコンピュータプログラムは、記録媒体に記録された動画像を再生する動画像再生工程と、前記動画像再生工程において再生された再生画像中の任意の被写体を印刷範囲として指定する被写体指定工程と、前記被写体指定工程において指定された被写体をクローズアップする被写体拡大工程と、前記被写体指定工程において指定された被写体を自動的に追尾する被写体追尾工程とを有し、前記被写体追尾工程において追尾されている被写体の画像データを任意のタイミングで印刷装置に出力する画像処理方法をコンピュータに実行させることを特徴としている。
【００１０】
本発明の記録媒体は、前記に記載のコンピュータプログラムを記録したことを特徴としている。
【発明の効果】
【００１１】
本発明によれば、記録媒体に記録された動画像を再生する動画像再生手段と、前記動画像再生手段によって再生された再生画像中の任意の被写体を印刷範囲として指定する被写体指定手段と、前記被写体指定手段によって指定された被写体をクローズアップする被写体拡大手段と、前記被写体指定手段によって指定された被写体を自動的に追尾する被写体追尾手段とを設け、前記被写体追尾手段によって追尾されている被写体の画像データを任意のタイミングで印刷装置に出力するようにしたので、予め動画像が記録された記録媒体を再生し、その中の特定な被写体を指定して、複数シーンをプリンタに直接印刷したいような場合に、操作者の手間を大幅に削減することができるとともに、良好な印刷結果を得ることが可能となる。
【００１２】
また、本発明の他の特徴によれば、順次印刷する任意のタイミングに関して、操作者が直接的な指示を行うことができるようにしたので、予め動画像が記録された記録媒体を再生し、その中の特定な被写体を指定して、複数シーンをプリンタに直接印刷したいような場合、操作者が必要とするベストショットを簡単に印刷することができる。
【００１３】
また、本発明のその他の特徴によれば、順次印刷する任意のタイミングに関して、操作者が予め任意の時間間隔を設定できるようにしたので、予め動画像が記録された記録媒体を再生し、その中の特定な被写体を指定して、複数シーンをプリンタから、直接ダイジェスト印刷したいような場合、操作者の手間を大幅に削減することができる。
【００１４】
また、本発明のその他の特徴によれば、１枚の用紙に、複数の画像をインデックス状に印刷することができるようにしたので、予め動画像が記録された記録媒体を再生し、その中の特定な被写体を指定して、複数シーンを１枚の用紙にインデックス状にプリンタで直接印刷したいような場合、操作者の手間を大幅に削減することができる。
【００１５】
また、本発明のその他の特徴によれば、指定した任意の被写体の画角に応じて、印刷範囲を自動的に変化させることができるようにしたので、複数シーンをプリンタに直接印刷したいような場合に、特定の被写体の画角が大きく変化しするような場合であっても、良好な印刷結果を得るために必要な操作者の手間を大幅に削減することができる。
【００１６】
また、本発明のその他の特徴によれば、前回印刷時の画角に対して、予め設定された任意の拡大・縮小率を越えた場合には自動的に印刷を行うようにしたので、指定した被写体の画角の変化に応じて、複数シーンをプリンタに直接印刷したいような場合に、操作者の手間を大幅に削減することができる。
【００１７】
また、本発明のその他の特徴によれば、予め設定された任意の距離を超えた場合に印刷するようにしたので、指定した被写体の移動距離の変化に応じて、複数シーンをプリンタに直接印刷したいような場合に、操作者の手間を大幅に削減することができる。
【発明を実施するための最良の形態】
【００１８】
以下、本発明を実施するための実施の形態に関して説明する。
図１は、本発明を適用したカメラ一体型記録再生装置の構成例を示すブロック図である。
図１において、撮像部１は、光学系レンズ、ＣＣＤ等の撮像素子、オートフォーカス機構、ズーム機構等からなり、カメラ系制御部３の指示に従い、被写界に対して焦点や光量等を調整し、レンズを通して結像された被写界の光学像を映像信号に変換し、カメラ信号処理部２に送出する。
【００１９】
カメラ信号処理部２は、カメラ系制御部３の指示に従い、前記映像信号に所定の信号処理を施して、記録系信号処理部６に送出する。操作部１５の一部は、カメラ系に関する各種スイッチ、ダイヤル（ＡＦオン／オフ、ＡＥオート／ロック、プログラムＡＥ等）類から構成され、操作者からの指示をシステム制御部１４を介してカメラ系制御部３に送出する。カメラ系制御部３は、マイクロコンピュータ等により構成され、システム制御部１４、操作部１５の指示等によりカメラ系全体を制御する。
【００２０】
信号処理部５は、記録系信号処理部６と再生系信号処理部７とから構成され、システム制御部１４の指示により、様々な、記録・再生信号処理を行う。記録系信号処理部６は、カメラ信号処理部２から出力された信号に対して、所定の信号処理を施してＶＴＲブロック４に送出する。再生系信号処理部７は、ＶＴＲブロック４から再生された信号に所定の処理を施し、それぞれ、動き検出部１０、画像変換部１１、スピーカ８に送出する。更に、システム制御部１４から送られる文字情報、印刷範囲枠表示情報を映像信号にミックスし、液晶パネル９に送出する。
【００２１】
ＶＴＲブロック４は、メカ部、メカ駆動部、マイクロコンピュータを中心とするメカ・サーボ制御部等から構成され、システム制御部１４の指示に従って、記録媒体への記録・再生動作を行いう。
【００２２】
操作部１５の一部は、ＶＴＲ系、及び装置全体に関する各種スイッチ（[↑]、[→]、[↓]、[←]、[SET]、[END]、[PRINT]、[MENU]、[PLAY]、[FF/REW]、[STOP]、[START/STOP]等）類から構成され、操作者からの指示をシステム制御部１４に送出する。操作部１５の一部、電源モードスイッチは、本体の電源モード（カメラ／切／ＶＴＲ）を選択するためのスイッチで、その状態をシステム制御部１４に送出する。
【００２３】
液晶パネル９は、映像信号を操作者に対して映像を映し出すとともに、文字や記号による本体の各種情報の表示、メニュー設定時のガイド表示、印刷範囲枠表示等を行う。
動き検出部１０は、再生系信号処理部７により再生された信号上に指示される印刷範囲枠内の画像をパターン認識し、印刷範囲として選択された部分の画像の位置、大きさの変化を検出し、それぞれ位置情報、大きさ情報として、システム制御部１４に送出する。
【００２４】
画像変換部１１は、システム制御部１４の指示により、再生系信号処理部７から再生信号を、プリンタが認識できる画像ファイル（例えばＪＰＥＧ画像）に変換し、外部デジタルＩ／Ｆ部１２に出力する。
【００２５】
外部デジタルＩ／Ｆ部１２は、ＵＳＢ等のインターフェースコントローラで、システム制御部１４の指示により、外部機器との各種データ（印刷画像、プリンタ制御コマンド等）通信を行う。Ｉ／Ｆコネクタ１３は、ＵＳＢ ｍｉｎｉＢ等のレセプタクルである。
システム制御部１４は、前述した、カメラ一体型ＶＴＲの各種機能を総合的に制御するマイクロコンピュータ等から構成され、前記の制御に加え、操作者によって指定された印刷範囲枠情報、動き検出部１０から送られてくる印刷範囲枠情報の変化に応じた、印刷範囲枠情報を信号処理部５に送出する。
【００２６】
前記システム制御部１４を構成するマイクロコンピュータシステムにより、本実施の形態のカメラ一体型記録再生装置に設けられている各機能、すなわち、動画像再生手段、被写体指定手段、被写体拡大手段、被写体追尾手段、印刷タイミング指示手段、印刷タイミング設定手段、マルチ印刷設定手段、印刷範囲変更手段、変化率計測手段、印刷制御手段、移動距離計測手段等が構成されている。
【００２７】
（第１の印刷動作例）
次に、前記、カメラ一体型記録再生装置を用いて、記録済み記録媒体を再生しながら、任意の印刷選択部分を直接プリンタによりダイジェスト印刷する際の動作に関して、以下に説明する。
図７は、カメラ一体型記録再生装置７１とプリンタ７２との間をデータケーブル７３により直接接続してダイレクト印刷システム７０を構成した時のイメージを説明する図である。
（図４ーａ）、（図４ーｂ）、（図４ーｃ）は、印刷実行前の各種設定を行うメニュー設定時の動作を説明するフローチャート、図６（ａ）〜（ｎ）は、メニュー設定時の液晶パネル９の表示例を示す図である。
【００２８】
（図４ーａ）に示したように、最初のステップＳ４００で処理が開始されると、次に、ステップＳ４０１で［ＭＥＮＵ］Ｋｅｙの入力検出を待つ。そして、入力を検出したら、ステップＳ４０２で［メニュー］表示（図６（ａ））を行う。
【００２９】
次に、ステップＳ４０３で"ダイレクト印刷設定"が選択されたらステップＳ４０４に進み、そうでなければステップＳ４０９へ進み、他のメニュー処理へ分岐する。ステップＳ４０４では［ダイレクト印刷設定］メニュー表示（図６（ｂ））を行う。
【００３０】
その後、ステップＳ４０５に進んで［ＭＥＮＵ］Ｋｅｙが押されたか否かを判定し、押されたらステップＳ４１０へ進んでメニューを終了する。ステップＳ４０５の判定の結果、そうでなければステップＳ４０６に進んで"プリンタ設定"が選択されたか否かを判定する。この判定の結果、"プリンタ設定"が選択された（（図６（ｂ））されれば、『４Ｃ』（ステップＳ４３６）へ分岐し、そうでなければステップＳ４０７に進む。
【００３１】
ステップＳ４０７では"ダイジェスト設定"が選択されたか否かを判定する。この判定の結果、"ダイジェスト設定"が選択（（図６（ｇ））されれば、『４Ｂ』（ステップＳ４１１）へ分岐し、そうでなければステップＳ４０８に進む。ステップＳ４０８では"戻る"が選択されたか否かを判定する。この判定の結果、"戻る"が選択されれば、ステップＳ４０２へ戻り、いずれも選択されていない場合、ステップＳ４０４へ戻る。
【００３２】
次に、（図４−ｂ）のステップＳ４１１において、［ダイジェスト設定］メニュー表示（（図６（ｈ））を行う。
次に、ステップＳ４１２で［ＭＥＮＵ］Ｋｅｙが押されたか否かを判定し、押されたらステップＳ４１０へ進んでメニューを終了する。
次に、ステップＳ４１３で"直接指示"が選択＆設定（（図６（ｈ））されたか否かを判定する。この判定の結果、選択＆設定されれば、ステップＳ４１０へ分岐してメニューを終了する。
【００３３】
次に、ステップＳ４１４で"一定時間"が選択（（図６（ｉ））されたか否かを判定する。この判定の結果、選択されれば、ステップＳ４１９へ分岐し、［一定時間］メニュー表示（（図６（ｊ））を行う。
【００３４】
次に、ステップＳ４３０で［メニュー］Ｋｅｙが押されたらステップＳ４１０へ進んでメニューを終了する。また、そうでなければステップＳ４３１〜ステップＳ４３４で"１０秒"、"２０秒"、"３０秒"、"１分"が選択されたか否かを判定する。この判定の結果、選択されたら、前記選択された時間で［一定時間］ダイジェスト印刷を行うモードに設定し、ステップＳ４１０へ分岐してメニューを終了する。また、ステップＳ４３５で"戻る"が選択されれば、ステップＳ４１１へ戻り、そうでなければステップＳ４１９へ戻る。
【００３５】
前記ステップＳ４１４からステップＳ４１５に分岐したら、"拡大／縮小率"が選択（（図６（ｉ））されたか否かを判定する。この判定の結果、選択されれば、ステップＳ４１８へ分岐、［拡大／縮小率］メニュー表示（（図６（ｌ））を行う。ステップＳ４２５で［メニュー］Ｋｅｙが押されたらステップＳ４１０へ進んでメニューを終了する。
【００３６】
また、ステップＳ４２５の判定の結果、そうでなければステップＳ４２６〜ステップＳ４２８で"２倍・１／２倍"、"３倍・１／３倍"、"４倍・１／４倍"が選択されたか否かを判定する。この判定の結果、これらの倍率が選択されたら、前記選択された倍率で［拡大／縮小率］ダイジェスト印刷を行うモードに設定し、ステップＳ４１０へ分岐してメニューを終了する。ステップＳ４２９で"戻る"が選択されれば、ステップＳ４１１へ戻り、そうでなければステップＳ４１８へ戻る。
【００３７】
また、ステップＳ４１５からステップＳ４１６に進んで"移動距離"が選択（（図６（ｍ））されたか否かを判定する。この判定の結果、選択されれば、ステップＳ４５５へ分岐し、［移動距離］メニュー表示（（図６（ｎ））を行う。ステップＳ４２０で［メニュー］Ｋｅｙが押されたらステップＳ４１０へ進んでメニューを終了する。
【００３８】
ステップＳ４２０の判定の結果、そうでなければステップＳ４２１〜ステップＳ４２３で"第１の移動距離Ｘ１"、"第２の移動距離Ｘ２"、"第３の移動距離Ｘ３"が選択されたか否かを判定する。この判定の結果、何れかの移動距離が選択されたら、前記選択された距離で［移動距離］ダイジェスト印刷を行うモードに設定し、ステップＳ４１０へ分岐してメニューを終了する。その後、ステップＳ４２４で"戻る"が選択されたか否かを判定する。この判定の結果、選択されれば、ステップＳ４１１へ戻り、そうでなければステップＳ４５５へ戻る。
【００３９】
また、ステップＳ４１６からステップＳ４１７に進んだ場合には、"戻る"が選択されたか否かを判定し、この判定の結果、"戻る"が選択されていない場合にはステップＳ４１１に戻り前述した処理を繰り返し行う。
【００４０】
（図４ーｃ）に示したように、ステップＳ４３６においては、［プリンタ設定］メニュー表示（（図６（ｃ））を行う。次に、ステップＳ４３７で［ＭＥＮＵ］Ｋｅｙが押されたか否かを判定し、押されたらステップＳ４１０へ進んでメニューを終了する。
【００４１】
次に、ステップＳ４３８で"用紙サイズ"が選択（（図６（ｃ））されたか否かを判定する。この判定の結果、選択されれば、ステップＳ４４７へ分岐、［用紙サイズ］メニュー表示（（図６（ｄ））を行う。ステップＳ４４８で［メニュー］Ｋｅｙが押されたらステップＳ４１０へ進んでメニューを終了する。
【００４２】
ステップＳ４３８の判定の結果、選択されたのでなければステップＳ４４９〜ステップＳ４５２で"Ａ４"、"Ｂ５"、"２Ｌ"、"はがき"が選択されたか否かを判定する。この判定の結果、選択されたら、前記選択された［用紙サイズ］でダイジェスト印刷を行うモードに設定し、ステップＳ４１０へ分岐してメニューを終了する。ステップＳ４５３で"戻る"が選択されれば、ステップＳ４３６へ戻り、そうでなければステップＳ４４７へ戻る。
【００４３】
ステップＳ４３８の判定の結果、ステップＳ４３９に進んで"スタイル"が選択（（図６（ｅ））されれば、ステップＳ４４１へ分岐、［スタイル］メニュー表示（（図６（ｆ））を行う。ステップＳ４４２で［メニュー］Ｋｅｙが押されたらステップＳ４１０へ進んでメニューを終了する。
【００４４】
ステップＳ４４２の判定の結果、そうでなければステップＳ４４３〜ステップＳ４４５で"１面"、"３面マルチ"、"６面マルチ"が選択されたか否かを判定する。この判定の結果、これらの何れかが選択されたら、前記選択されたスタイルでダイジェスト印刷を行うモードに設定し、ステップＳ４１０へ分岐してメニューを終了する。ステップＳ４４６で"戻る"が選択されれば、ステップＳ４３６へ戻り、そうでなければステップＳ４４１へ戻る。
【００４５】
ステップＳ４３９からステップＳ４４０に進んだ場合には、"戻る"が選択されたか否かを判定する。この判定の結果、選択されていなければステップＳ４３６に進んで前述した処理を繰り返し行う。またこの判定の結果、選択された場合にはステップＳ４０４に戻る。
【００４６】
本第１の印刷動作例においては、ダイジェスト設定は"直接指示"、プリンタ設定は、"用紙サイズ・Ａ４"に、"スタイル・３面マルチ"に設定されたものとする。
【００４７】
図５は、ダイジェスト印刷を行う時の動作を説明するフローチャート、図２はダイジェスト印刷時の液晶パネル９の表示例を示す図であり、図３はダイジェスト印刷を行ったときの印刷結果例を示す図である。
【００４８】
図５に示すように、ステップＳ５００で処理を開始すると、ステップＳ５０１でダイジェスト印刷したい記録済み記録媒体をＶＴＲブロック４に装着し、操作部１５を操作することにより、所望の印刷開始シーンを頭出しし、"再生ポーズ"状態にする。
【００４９】
次に、ステップＳ５０２でプリンタとのケーブル接続を検出し、ケーブル接続が検出されたら、ステップＳ５０３へ進む。ステップＳ５０３においては、プリンタとの初期通信を行い、接続を確立する。この時点で、印刷範囲枠の初期状態表示を行う。（（図２ａ）参照）中の符号２０１は、印刷範囲枠表示。
【００５０】
ステップＳ５０４〜ステップＳ５０６において、印刷範囲枠を操作部１５の［↑］、［→］、［↓］、［←］、を用いて印刷範囲枠を所望の位置に移動させ、ステップＳ５０４で［ＳＥＴ］Ｋｅｙを押し、位置を決定し、ステップＳ５０７へ進む。
【００５１】
本実施の形態では、画面右下隅の『車』を選択している（（図２ｂ）参照、表示枠２０２は『車』を選択している）。ステップＳ５０７〜ステップＳ５０９において、操作部１５の操作キー［↑］、［↓］を用いて印刷範囲枠を所望の大きさに設定し、ステップＳ５０７で［ＳＥＴ］Ｋｅｙを押し大きさを決定し、ステップＳ５２６へ進む。
【００５２】
この時点で選択されている印刷範囲内の画像（（図２ｃ）参照、表示枠２０３は『車』を選択している）を印刷するために、画像変換部１１により変換された画像ファイル、印刷範囲枠の大きさと位置情報、印刷用紙サイズ（Ａ４）、印刷スタイル（３面マルチ）等の情報を外部デジタルＩ／Ｆ部１２を介してプリンタに出力すると同時に、ＶＴＲブロック４対して、記録媒体の再生開始を指示する。プリンタはこれらの情報から、画像ファイル上の一部分２０３を抜き出してリサイズを行い、指定された用紙に指定されたレイアウトで印刷を開始し、ステップＳ５１０へ進む。
【００５３】
本第１の印刷動作例においては、前記の操作によってダイジェスト設定は"直接指示"に設定されているので、ステップＳ５１０の判定においてステップＳ５１１へ進む。ステップＳ５１１〜ステップＳ５１３において、操作者からの操作部１５によるＫｅｙ操作を待ち、［ＰＲＩＮＴ］Ｋｅｙが押されれば、その時点でステップＳ５１３によりステップＳ５２６と同様に印刷動作を行い、［ＥＮＤ］Ｋｅｙが押された時点でステップＳ５２５へ分岐し印刷を終了する。
【００５４】
本第１の印刷動作例においては、（図２ｄ）、（図２ｅ）のタイミングで［ＰＲＩＮＴ］Ｋｅｙが押され、その後、［ＥＮＤ］Ｋｅｙが押されたものとする。（図２ｃ）〜（図２ｅ）においては、前記の動作により、ステップＳ５０７で選択決定した『車』の画像部分を自動的に追尾し、また『車』部分の画角の変化に応じて、印刷範囲枠２０３〜２０５の大きさが変動する。このようにして得られる印刷結果を、図３の３０３、３０４、３０５に示す。（図２ｃ）〜（図２ｅ）により指定された印刷範囲枠２０３〜２０５内の画像が、Ａ４サイズの用紙に、３面マルチで印刷されている。
【００５５】
（第２の印刷動作例）
第２の印刷動作例では、前記第１の印刷動作例における操作において、ダイジェスト設定は"一定時間（２０秒）"、プリンタ設定は、"用紙サイズ（Ａ４）"に、"スタイル（３面マルチ）"に設定されたものとする。また、第１の印刷動作例と同等の動作に関しての説明は割愛し、ここでは、第２の印刷動作例固有の動作に関して説明を行う。
【００５６】
本第２の印刷動作例においては、前記の操作によってダイジェスト設定は"一定時間"に設定されているので、ステップＳ５１０の判定においてステップＳ５１４へ進み、ステップＳ５１４の判定において、ステップＳ５１５へ進む。ステップＳ５１５〜ステップＳ５１７において、設定された時間の経過を待ち、設定時間が経過した時点でステップＳ５１７によりステップＳ５２６と同様に印刷動作を行い、［ＥＮＤ］Ｋｅｙが押された時点でステップＳ５２５へ分岐し印刷を終了する。
【００５７】
本第２の印刷動作例においては、（図２ｄ）、（図２ｅ）で前回印刷を実行した時点から、設定した時間が経過し、その後、［ＥＮＤ］Ｋｅｙが押されたものとする。印刷結果に関しても、前記第１の印刷動作例と同様なので、詳細な説明は割愛する。
【００５８】
（第３の印刷動作例）
第３の印刷動作例では、前記第１の印刷動作例における操作において、ダイジェスト設定は"拡大／縮小率（２倍・１／２倍）"、プリンタ設定は、"用紙サイズ・Ａ４"に、"スタイル・３面マルチ"に設定されたものとする。また、第１の印刷動作例と同等の動作に関しての説明は割愛し、ここでは、第３の印刷動作例固有の動作に関して説明を行う。
【００５９】
本第３の印刷動作例においては、前記の操作によってダイジェスト設定は"拡大／縮小率"に設定されているので、ステップＳ５１０の判定においてステップＳ５１４へ進み、ステップＳ５１４の判定においてステップＳ５１８へ進み、ステップＳ５１８の判定でステップＳ５１９へ進む。ステップＳ５１９〜ステップＳ５２１において、設定された２倍または、１／２倍の印刷範囲枠の変化を待ち、変化が所定の変化率よりも大きくなったことが検出された時点でステップＳ５２１によりステップＳ５２６と同様に印刷動作を行い、［ＥＮＤ］Ｋｅｙが押された時点でステップＳ５２５へ分岐し印刷を終了する。
【００６０】
本第３の印刷動作例においては、（図２ｄ）で前回印刷を実行した時点に対して印刷範囲枠が２倍になり、（図２ｅ）で前回印刷を実行した時点に対して印刷範囲枠が１／２になり、その後、［ＥＮＤ］Ｋｅｙが押されたものとする。印刷結果に関しても、前記第１の印刷動作例と同様なので、詳細な説明は割愛する。
【００６１】
（第４の印刷動作例）
第４の印刷動作例では、前記第１の印刷動作例における操作において、ダイジェスト設定は"移動距離（Ｘ２）"、プリンタ設定は、"用紙サイズ・Ａ４"に、"スタイル・３面マルチ"に設定されたものとする。また、第１の印刷動作例と同等の動作に関しての説明は割愛し、ここでは、第４の印刷動作例固有の動作に関して説明を行う。
【００６２】
本第４の印刷動作例においては、前記の操作によってダイジェスト設定は"移動距離"に設定されているので、ステップＳ５１０の判定においてステップＳ５１４へ進み、ステップＳ５１４の判定においてステップＳ５１８へ進み、ステップＳ５１８の判定でステップＳ５２２へ進む。ステップＳ５２２〜ステップＳ５２４において、設定された、（Ｘ２）分の印刷範囲枠の移動を待ち、移動が検出された時点でステップＳ５２４によりステップＳ５２６と同様に印刷動作を行い、［ＥＮＤ］Ｋｅｙが押された時点でステップＳ５２５へ分岐し印刷を終了する。
【００６３】
本第４の印刷動作例においては、（図２ｄ）で前回印刷を実行した時点に対して印刷範囲枠が（Ｘ２）分だけ移動し、更に（図２ｅ）で前回印刷を実行した時点に対して印刷範囲枠が（Ｘ２）分だけ移動し、その後、［ＥＮＤ］Ｋｅｙが押されたものとする。印刷結果に関しても、前記第１の印刷動作例と同様なので、説明は割愛する。
【００６４】
（本発明に係る他の実施の形態）
前述した本発明の実施の形態における画像処理装置を構成する各手段、並びに画像処理方法における各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００６５】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００６６】
また、コンピュータが供給されたプログラムを実行することにより前述した第１〜第４の印刷動作例における各機能が実現されるだけでなく、そのプログラムがコンピュータにおいて稼働しているＯＳ（オペレーティングシステム）或いは他のアプリケーションソフト等と共同して前述した第１及び第２の印刷動作例における各機能が実現される場合や、供給されたプログラムの処理の全て或いは一部がコンピュータの機能拡張ボードや機能拡張ユニットにより行われて前述した第１〜第４の印刷動作例における各機能が実現される場合も、かかるプログラムは本発明に含まれる。
【図面の簡単な説明】
【００６７】
【図１】実施の形態を示し、カメラ一体型記録再生装置の概略構成を示すブロック図である。
【図２】ダイジェスト印刷時の液晶パネルの表示例を示す図である。
【図３】ダイジェスト印刷時の印刷結果を示す図である。
【図４−ａ】メニュー設定時の第１の印刷動作例を説明するフローチャートである。
【図４−ｂ】メニュー設定時の第２の印刷動作例を説明するフローチャートである。
【図４−ｃ】メニュー設定時の第３の印刷動作例を説明するフローチャートである。
【図５】ダイジェスト印刷時の印刷動作例を説明するフローチャートである。
【図６】メニュー設定時の液晶パネルの表示例を説明する図である。
【図７】カメラ一体型記録再生装置とプリンタとをデータケーブルで接続してダイジェスト印刷システムを構成した例を示す図である。
【符号の説明】
【００６８】
１  撮像部
２  カメラ信号処理部
３  カメラ系制御部
４  ＶＴＲブロック
５  信号処理部
６  記録系信号処理部
７  再生系信号処理部
８  スピーカ
９  液晶パネル
１０  動き検出部
１１  画像変換部
１２  外部デジタルＩ／Ｆ部
１３  Ｉ／Ｆコネクタ
１４  システム制御部
１５  操作部
【図１】
2006013919.tif 000003
【図２】
2006013919.tif 000004
【図３】
2006013919.tif 000005
【図４−ａ】
2006013919.tif 000006
【図４−ｂ】
2006013919.tif 000007
【図４−ｃ】
2006013919.tif 000008
【図５】
2006013919.tif 000009
【図６】
2006013919.tif 000010
【図７】
2006013919.tif 000011